(57)【要約】【課題】社会生活の様々な場面で自転車、自動二輪車、自動車、車椅子、フィットネス器具等を使用中の動的環境において、携帯電話を安定的に取り付け、取り付けスペースを小とし、携帯電話画面を容易に視認できるようにする。【解決手段】携帯電話背面に台座を取り付け、搭載対象物側に取付台座を取り付ける。電話台座は係合用ラッチと平行案内溝を有する。取付台座は、搭載対象物の取付部位形状に合わせた取付部により搭載対象物に取り付けられ、逆側に係合用ラッチ及び平行案内部を有する。本構成において、電話台座を取付台座内蔵スプリングに抗して、押し込み後スライド方式の簡単操作により、搭載対象物の取付台座にラッチ係合し、電話台座を前後左右上下方向に安定保持する。更に取付台座に旋回機構やスイング機構を設け、携帯電話の取付姿勢を視認性、着脱性等から利用者に便利なように調整可能とする。 【選択図】図６
2005318382.tif 000002
【特許請求の範囲】
【請求項１】
自転車、自動二輪車、自動車、車椅子、フィットネス器具等利用時に携帯電話を搭載保持する場合において、携帯電話背面に台座を取り付け、搭載対象物側に取付台座を取り付ける。電話台座は取付台座係合用ラッチと平行案内溝を有する。取付台座は、搭載対象物の取付部位形状に合わせた取付部により搭載対象物に取り付けられ、また逆面に電話台座係合用ラッチ及び平行案内部を有する。このような構成において、電話台座を取付台座内蔵スプリングに抗して、押し込み後スライドの方式により、搭載対象物の取付台座にラッチ係合し、取付台座内蔵スプリングとともに、電話台座を前後左右上下方向に安定保持する携帯電話ホルダー。 
【請求項２】
1項の取付台座に旋回機構を内蔵し、携帯電話側を旋回し利用者に便利な位置に調整保持するよう構成した携帯電話ホルダー。
【請求項３】
1項の取付台座に2項の旋回機構に加え、スイング機構を備え、利用者に便利な位置に旋回及び角度調整するよう構成した携帯電話ホルダー。
【発明の詳細な説明】
【技術分野】
【０００１】
本発明は、社会生活の様々な場面で使用する自転車、自動二輪車、自動車、車椅子、フィットネス器具等に携帯電話を搭載し、簡単・安全に着脱でき且つ使用中容易に視認できる携帯電話ホルダーに関するものである。
【背景技術】
【０００２】
【特許文献１】特開２００３−６３３１７
【特許文献２】実用新案登録第３０７９１７５号近年携帯電話の普及は目覚しく、それに伴い多種多様な携帯電話ホルダーが存在し、提案されている。  しかし社会生活の様々な場面で自転車、自動二輪車、自動車、車椅子、フィットネス器具等を使用するが、その使用中、携帯電話に着信しても気付かないことが多くあり、気付いても、安全に視認することができなかった。まして設備利用中に収納場所から携帯電話を取り出し、操作することは危険である。携帯電話の持つ情報の重要性、将来性から、どんな場面でも、これらの対象物に、簡単・安全に着脱でき、且つ使用中も携帯電話の情報を容易に視認できる携帯電話ホルダーが待望されている。
【０００３】
特許公開２００３−６３３１７で、クリップ式携帯電話機用可動ホルダーが提案されている。これは携帯電話機を一定の場所に保持するためのもので、両面接着テープにより設置面に止着される。ホルダー本体が４つの部品から構成され、連結する部品の結合部３ケ所それぞれに回転軸を設け、上下方向、左右方向、回転の回軸自在に可動し、クリップを用いて携帯電話機保持を特徴とする。これは４つの部品を、回軸を介して構成するので取付高さが高くなり、設置面も平面に限定され、クリップ式の為、振動のある動的な使用環境には不向きである。
【０００４】
実登３０７９１７５で自転車または自動二輪車で使用できる携帯電話ホルダーが提案されている。この携帯電話の視認方向調整手段は取付部における角度調整のみで、視認方向調整の自由度が少なく、水平近くに角度調整時は振動により開口部から携帯電話が飛び出す危険性がある。
【発明の開示】
【発明が解決しようとする課題】
【０００５】
本発明が解決しようとする課題は、社会生活の様々な場面で利用する自転車、自動二輪車、自動車、車椅子、フィットネス器具（ルームランナー、サイクリング等）等に携帯電話搭載時において、使用中の動的環境で携帯電話固定が不安定のため、携帯電話が飛び出し落下したり、携帯電話取り付けスペースが大で邪魔だったり、携帯電話着信に気付かなかったり、気付いても容易に視認できない不具合である。
【課題を解決するための手段】
【０００６】
本発明は、上記の課題を解決するため、携帯電話背面に台座を取り付け、搭載対象物側に取付台座を取り付ける。電話台座は取付台座係合用ラッチと平行案内溝を有する。取付台座は、搭載対象物の取付部位形状に合わせた取付部により搭載対象物に取り付けられ、また逆面に電話台座係合用ラッチ及び平行案内部を有する。
【０００７】
このような構成において、搭載対象物の取付台座に、電話台座を取付台座内蔵スプリングに抗して、押し込み後スライド方式の簡単操作により、ラッチ係合し、前後左右上下方向に安定保持する。
【０００８】
更に取付台座に旋回機構やスイング機構を設け、携帯電話の取付姿勢を視認性、着脱性等から利用者に便利なように調整可能とする。
【発明の効果】
【０００９】
本発明の携帯電話ホルダーは、取付台座に電話台座を取付台座内蔵スプリングに抗して、押し込み後スライドさせるだけの簡単操作で、ラッチ係合でき、前後左右上下方向に安定保持されるので、動的使用環境においても飛び出し落下することはない。また取付台座に内蔵の旋回機構やスイング機構により、携帯電話を視認性や着脱性等から、利用者が利用し易い位置に調整できる。従って自転車、自動二輪車、自動車、車椅子、フィットネス器具等を利用者が使用中であっても、容易に携帯電話着信を視認できる。取付台座はコンパクトで特別なスペースを要しない。折りたたみ式携帯電話は開いた状態でも閉じた状態でも保持することができる。
【発明を実施するための最良の形態】
【００１０】
以下、本発明の実施の形態を図面に基つ゛いて説明する。
【実施例１】
【００１１】
図１〜４、６〜８は本発明の実施例１である。図４において電話台座２は前後左右に把持部３を有し、携帯電話１をその中に載置し、マジックテープ(登録商標)４にて接着すると共に、固定バンド５によって固縛されている。このようにして携帯電話と電話台座は一体化され、電話台座は固定ラッチ６を有する。本例においてマジックテープ(登録商標)４は両面接着テープ等でも代用できる。また固定バンド５は二重の安全用であり、必ずしも必要ではない。本例は折りたたみ式携帯電話を用いているが、通常の携帯電話でも取付可能である。 
【００１２】
図６において、携帯電話及び台座アセンブリを自転車等のパイプハンドル１３に、取付台座７を介し取り付けた例を示す。取付台座７はパイプハンドル１３にバンド１４により固定されている。取付台座ラッチ８ａは電話台座ラッチ６と係合状態にあり、ラッチ本体８とスプリング受板１０ａは固定ビス２５により固定される。電話台座２は、スプリング受板１０ａに支持されるスプリング９により、台座受板１０を介し上方に押し付けられ、前後左右上下方向にガタつくことなく、ラッチ本体８及びスプリング受板１０ａ経由、取付台座７に保持される。取付台座７は回転軸１１を有し、回転軸１１上部はナットを有し、スプリング受板１０の浮き上がりを防止しており、電話台座２およびラッチ本体８アセンブリは、回転軸１１の回りに旋回可能で、旋回位置はスプリング内蔵突起１２により位置決めされる。バンド１４の取付調整により取付台座７はパイプハンドル１３の回りに回転し、取付角度調整可能である。本図でスプリング形式はコイルばねで図示されているが、板ばね等その他形式でもよい。またバンド１４はビニール製のタイラップでも、金属やプラスチック製でボルトナット固定式等でもよい。図７は図６の側面図であり、（ａ）は後方視、（ｂ）は前方視を示す。図８は旋回機構により携帯電話の向きを図７より９０゜旋回取付状態を示す。 
【００１３】
図１において上部に装着前の携帯電話及び台座アセンブリ、下部に取付台座７を自転車等のパイプハンドル１３に取り付けた例を示す。図２は図１の斜視図を示し、携帯電話１を省略している。電話台座２は平行案内溝（凹）２２を有し、ラッチ本体８は平行案内部（凸）２１を有し、取付時はそれぞれが嵌合する。図３は携帯電話及び台座アセンブリの、ラッチ本体８経由、取付台座７への取り付け手順を示す。 (Ａ)は電話台座２を上方より取付台座７側へ下降させる状態を示す。 (Ｂ)はラッチ本体８内蔵スプリング９に抗して電話台座２を押し込む状態を示し、電話台座２の平行案内溝２２は取付台座７の平行案内部２１に嵌合される。 (Ｃ)はラッチ係合の為、電話台座２をスプリング押し込み状態の台座受板１０上で、平行案内部２１に案内されつつ、スライドさせる状態を示す。 (Ｄ)は電話台座ラッチ６と取付台座ラッチ８ａの係合状態を示し、スプリング９により、上下方向にもガタなしで保持される。なお本例では電話台座２側に平行案内溝２２、取付台座７側のラッチ本体８に平行案内部２１を設けたが、逆に電話台座２側に平行案内部（凸）、取付台座側のラッチ本体に平行案内溝（凹）を設けることもできる。 
【００１４】
電話台座構造は係合ラッチを含めば、携帯電話と一体でもよく、図５は図４以外の電話台座構造例を示し、携帯電話本体の純正ビスを取り外し、電話台座２が固定できる長さのビス１５を使用して、携帯電話と電話台座を一体にしたものである。 
【実施例２】
【００１５】
図９〜１１は本発明の実施例２で車体等のフラットな面１６に取付台座７を設置例である。    図９において、携帯電話及び台座アセンブリを車体等のフラット面１６に、取付台座７を介し取り付けた例を示す。取付台座７はフラット面１６にボルト＆ナット１７により固定されている。取付台座側ラッチ８ａは電話台座ラッチ６と係合状態にあり、電話台座２はスプリング９により、台座受板１０を介し、上方に押し付けられ、取付台座７に保持される。取付台座７は回転軸１１を有し、携帯電話１及びラッチ本体８アセンブリはその回りに旋回可能で、旋回位置はスプリング内蔵突起１２により位置決めされる。図１０は図９の側面図であり、（ａ）は後方視、（ｂ）は前方視を示す。図１１は旋回機構により携帯電話１の向きを図１０より９０゜旋回状態を示す。この実施例は、取付設置面が水平の場合であるが、取付設置面が垂直や斜面の場合でも取り付け可能である。またフラット面１６への取付は、本図の如くボルト＆ナット式に限られず、接着式等、種々の方式であってもよい。 
【実施例３】
【００１６】
図１２〜１４は本発明の実施例３である。    図１２において携帯電話及び台座アセンブリを自転車等のパイプハンドル１３に取付台座７を介し、取り付けた例を示す。取付台座７はハンドル１３にバンド１４により固定されている。取付台座側ラッチ８ａは電話台座ラッチ６と係合状態にあり、電話台座２はラッチ本体内蔵スプリング９により、台座受板１０を介し上方に押し付けられ、ラッチ本体８経由、取付台座７に保持される。取付台座７は固定球体１８を有し、携帯電話及びラッチ本体アセンブリはその回りに旋回およびスイング可能で、調整位置は止めビス１９により位置決めされる。図１３は図１２の側面図であり、（ａ）は後方視、（ｂ）は前方視を示す。ハンドル１３が水平ではなく傾斜している場合でも本球体支持構造によれば、携帯電話の姿勢を旋回及びスイング自在に調節できる。図１４は球体旋回機構により携帯電話の向きを図１３より約９０゜旋回状態を示す。 
【実施例４】
【００１７】
図１５，１６は本発明の実施例４である。図１５において、パイプハンドル１３に取り付ける取付台座を固定取付台座７ａと回転取付台座７ｂの２重構造とする。固定取付台座７ａは円弧案内溝２３を有し、固定バンド１４により、ハンドル１３に固定される。回転取付台座７ｂは円弧案内溝２３に嵌合する円弧案内部２４を有し、その他は実施例１、２同様、取付台座側ラッチ８ａ、ラッチ本体８、スプリング９、台座受板１０、回転軸１１等を有する。本構成において回転取付台座７ｂは、円弧案内溝にガイドされて、ハンドル回りに回転され、図示のように前後方向９０゜取付角度調整も可能で、その位置はスプリング内蔵突起１２ａ等により保持される。回転軸１１による旋回機構や取付台座側ラッチ８ａ等によるラッチ係合機構は実施例１，２同様である。
【産業上の利用可能性】
【００１８】
携帯電話の普及により、社会生活の様々な場面で利用する自転車、自動二輪車、自動車、車椅子、フィットネス器具（ルームランナー、サイクリング等）等に携帯電話搭載の必要性が増加する。そのような場面において、本発明によれば携帯電話の着脱容易、視認容易、コンパクト化を実現できるので、利用可能性は大である。
【図面の簡単な説明】
【００１９】
【図１】装着前概要図（実施例１）
【図２】装着前概要斜視図（実施例１）
【図３】装着手順図（実施例１）
【図４】台座タイプ１
【図５】台座タイプ２
【図６】実施例１取付図
【図７】（ａ）（ｂ）実施例１  側面図（後方視及び前方視）
【図８】実施例１  側面図（旋回取付状態図）
【図９】実施例２取付図
【図１０】（ａ）（ｂ）実施例２  側面図（後方視及び前方視）
【図１１】実施例２  側面図（旋回取付状態図）
【図１２】実施例３取付図
【図１３】（ａ）（ｂ）実施例３  側面図（後方視及び前方視）
【図１４】実施例３  側面図（旋回取付状態図）
【図１５】実施例４取付図
【図１６】実施例４側面図
【符号の説明】
【００２０】
１    携帯電話
２    電話台座
３    把持部
４    マジックテープ(登録商標)
５    固定バンド
６    電話台座ラッチ
７    取付台座
７ａ  固定取付台座
７ｂ  回転取付台座
８    ラッチ本体
８ａ  取付台座側ラッチ
９    スプリング
１０    台座受板
１０ａ  スプリング受板
１１    回転軸
１２    スプリング内蔵突起
１２ａ  スプリング内蔵突起
１３    パイプハンドル
１４    固定バンド
１５    固定ビス
１６    車体等のフラット面
１７    固定ボルト＆ナット
１８    球体
１９    回り止めビス
２０    固定ビス
２１    平行案内部
２２    平行案内溝
２３    円弧案内溝
２４    円弧案内部
２５    固定ビス
【図１】
2005318382.tif 000003
【図２】
2005318382.tif 000004
【図３】
2005318382.tif 000005
【図４】
2005318382.tif 000006
【図５】
2005318382.tif 000007
【図６】
2005318382.tif 000008
【図７】
2005318382.tif 000009
【図８】
2005318382.tif 000010
【図９】
2005318382.tif 000011
【図１０】
2005318382.tif 000012
【図１１】
2005318382.tif 000013
【図１２】
2005318382.tif 000014
【図１３】
2005318382.tif 000015
【図１４】
2005318382.tif 000016
【図１５】
2005318382.tif 000017
【図１６】
2005318382.tif 000018